(57)【要約】      （修正有）【課題】強度はチタンまたはジルコニウムの強度より更に強くて、天然の歯牙に近くて、衝突されても弾力を有するため吸震が可能で、切れにくい人工の歯根植体の繊維支柱構造を提供する。【解決手段】樹脂支柱本体１０内には複数の繊維心軸２０が設けられ、該繊維心軸２０はガラス繊維心軸、石英光ファイバ心軸、炭素繊維心軸、ガラス光ファイバ心軸であることが可能で、その中で、該樹脂支柱本体１０には外周結合部１１が設けられ、それぞれの繊維心軸２０は該樹脂支柱本体１０内に設けられ、各繊維心軸２０は底部結合端２１および頂部自由端２２を含み、それぞれの底部結合端２１は該樹脂支柱本体１０の該外周結合部１１上に位置し、それぞれの底部結合端２１および該外周結合部１１は該歯冠３０を粘着結合させ、それぞれの頂部自由端２２は該樹脂支柱本体１０の歯冠３０を粘着する頂面１２に位置する。【選択図】図２
0003164601.tif 000002
【実用新案登録請求の範囲】
【請求項１】
人工の歯根植体の繊維支柱構造であって、
外周結合部が設けられている樹脂支柱本体と、
該樹脂支柱本体内に設けられている複数の繊維心軸と、を備え、それぞれの繊維心軸は該樹脂支柱本体内を貫通して固設され、それぞれの繊維心軸は底部結合端および頂部自由端を有し、それぞれの底部結合端は樹脂支柱本体の外周結合部に位置し、それぞれの頂部自由端は樹脂支柱本体の歯冠を粘着する外周面粘着剤がある個所に位置することを特徴とする人工の歯根植体の繊維支柱構造。
【請求項２】
前記繊維心軸は、ガラス繊維心軸、石英光ファイバ心軸、炭素繊維心軸、ガラス光ファイバ心軸などからなり、それぞれの繊維心軸は単層繊維層、二層繊維層または多層繊維層を含み、該単層繊維層、該二層繊維層または該多層繊維層において、それぞれの層は複数の繊維心軸により構成され、該二層繊維層はコア層と外側層からなり、該外側層は該コア層の外側を被覆して固設されていることを特徴とする請求項１に記載の人工の歯根植体の繊維支柱構造。
【請求項３】
前記繊維心軸の断面は、円形状または六角形形状になっていることを特徴とする請求項２に記載の人工の歯根植体の繊維支柱構造。
【考案の詳細な説明】
【技術分野】
【０００１】
本考案は、インプラント用品に関し、特に、人工の歯根植体の繊維支柱材料および構造を提供する。
【背景技術】
【０００２】
人工インプラントとは、医療および科技の整合応用による技術であって、臨床上では、主にチタン合金の人工の歯根植体を歯がない歯溝の骨内にインプラントし、所定時間の癒合後に、更に支柱を用いて人工の歯根植体上に固定し、それから、咬みモールドから作り出した偽歯芽を前記支柱の外周面に粘着する。
【０００３】
患者が咬んだモールドを歯具の製作所に提供して歯冠を作り出し、歯冠の製作が完成された後に、患者を病院に戻させてから組立を行うが、該支柱はステンレススチールまたはセラミックからなるため、組立の密着度が不良である問題が発生し、この場合、医師は即時に修正を行うことができなくなり、再び歯具の制作所に返却して補正または新しく製造することになり、このように数回に繰り返すことは、医師または患者に対して不便を与える。
【０００４】
また、該チタン金属またはジルコニウム（セラミック）の強度は多くの繊維を有する樹脂支柱の強度より弱く、かつチタン金属またはジルコニウム（セラミック）は現場での修正が不可能で、必ず歯具を制作所に送って補正しなければならなく、そのチタン金属またはジルコニウム（セラミック）の弾力が良くないため、衝突を受けると切れ易くて、又は、そのベースに損害を与える。
【０００５】
従来の方法では、患者の咬みモールドを歯具の製作所に提供して歯冠を作り出し、歯冠が完成された後に、患者を病院または診療所に戻させてから組立を行うが、該支柱がステンレススチールまたはセラミックであるため、組立の密着度が不良である問題が存在し、医師は即時に補正を行うことができなくなり、再び歯具の製作所に送って補正または再び製作することになり、このように複数回繰り返すことで医師または患者に対して不便を与える。その他に、該チタン金属またはジルコニウム（セラミック）の強度は、多くの繊維を有する樹脂支柱より悪くて、チタン金属またはジルコニウム（セラミック）も現場での修正が不可能で、必ず歯具を製作所に戻して修正させ、そのチタン金属またはジルコニウム（セラミック）の弾力は不良で、衝突を受ける際に切れやすくてまたはベースに損害を与える。
【考案の概要】
【考案が解決しようとする課題】
【０００６】
本考案は、従来技術の上記欠陥を鑑みて、強度はチタンまたはジルコニウムの強度より更に強くて、天然の歯牙に近くて、衝突されても弾力を有するため吸震が可能で、切れにくい歯根植体の繊維支柱材料を提供することを目的とする。
【課題を解決するための手段】
【０００７】
前記目的を達成するために、本考案に係る人工の歯根植体の繊維支柱材料及び構造は、樹脂支柱本体内に複数の繊維心軸を設け、該繊維心軸はガラス繊維心軸、炭素繊維心軸、石英光ファイバ心軸、ガラス光ファイバ心軸であり、その中で、該繊維は単層繊維、二層繊維または多層繊維を有し、強度を倍に増強させ、該樹脂支柱は現場歯科医師により簡単に現場で修正することができ、研磨が可能であり、該樹脂支柱には多数の繊維が設けられ、その強度はチタン金属（ｔｉｔａｎｉｕｍ）またはジルコニウム（セラミック、Ｚｉｒｃｏｎｉａ）に比べて強くて、衝突を受ける際に切れにくくて、弾力を有するため、天然の歯牙に近くて、骨までに傷つけることがなく、比較的に弾力を有するため吸震が可能で、ベースの損傷を減少する。
【考案の効果】
【０００８】
本考案の人工の歯根植体の繊維支柱材料および構造によれば、優れる弾力と強度を持ち、現場での加工が容易で、破損されにくくて、その強度はチタン金属（ｔｉｔａｎｉｕｍ）またはジルコニウム（セラミック、Ｚｉｒｃｏｎｉａ）に比べて強くて、かつ、衝突を受ける際に比較的に切れにくくて、弾力を有するため、天然の歯牙に近くて、骨までに傷つけることがなく、比較的に弾力を有するため吸震が可能で、ベースの損傷を減少する。
【０００９】
本考案の人工の歯根植体の繊維支柱材料および構造によれば、現場での修正が可能で、かつ、その強度はチタンまたはジルコニウムの強度より更に強くて、天然の歯牙に近くて、衝突されても弾力を有するため吸震が可能で、切れにくい優点を有する。
【図面の簡単な説明】
【００１０】
【図１】本考案の１つの実施例に関する立体図である。
【図２】本考案の１つの実施状態に関する立体分解図である。
【図３】本考案の１つの実施状態に関する断面図である。
【図４】２つ層繊維の円形状の断面図である。
【図５】２つ層繊維の六角形状の断面図である。
【図６】３つ層繊維の円形状の断面図である。
【考案を実施するための形態】
【００１１】
図１〜図５に示すように、本考案の人工の歯根植体の繊維支柱材料および構造は、樹脂支柱本体（１０）を含み、該樹脂支柱本体（１０）内には複数の繊維心軸（２０）が設けられ、該繊維心軸（２０）はガラス繊維心軸、石英光ファイバ心軸、炭素繊維心軸、ガラス光ファイバ心軸であることが可能で、その中で、該樹脂支柱本体（１０）には外周結合部（１１）が設けられ、それぞれの繊維心軸（２０）は該樹脂支柱本体（１０）内に設けられ、各繊維心軸（２０）は底部結合端（２１）および頂部自由端（２２）を含み、それぞれの底部結合端（２１）は樹脂支柱本体（１０）の外周結合部（１１）上に位置し、それぞれの底部結合端（２１）および外周結合部（１１）は歯冠（３０）を粘着結合させ、それぞれの頂部自由端（２２）は該樹脂支柱本体（１０）の歯冠（３０）を粘着する頂面（１２）に位置する。
【００１２】
該インプラントの手順としては、先ず、チタン金属植体（４０）を歯溝の骨（４１）内に植立し、かつ咬みモールドで歯冠（３０）を製作し、所定時間を経て癒合された後、該チタン金属植体（４０）上でねじくぎ（５０）により該樹脂支柱本体（１０）を該チタン金属体（４０）上に固定し、その後、該樹脂支柱本体（１０）の外周結合部（１１）で粘着剤を用いて該歯冠（３０）を結合し、結合過程において、該樹脂支柱本体（１０）が優れる弾力と強度を持ち、現場での加工が容易で、切れにくいため、結合過程はもっと高速かつ便利になり、歯冠（３０）構造の結合強度および該チタン金属植体（４０）の結合強度を改善し、かつ歯冠（３０）の脱落または損害が発生されにくくなり、使用するに当たって、非常に実用的でかつ便利である。該樹脂支柱本体（１０）は、現場の歯科医師により現場で容易に修正することができ、研磨することが可能であり、該樹脂支柱本体（１０）には数多くの繊維心軸（２０）が設けられ、その強度は、チタン金属（ｔｉｔａｎｉｕｍ）またはジルコニウム（セラミック、Ｚｉｒｃｏｎｉａ）またはステンレススチール（ｓｔａｉｎｌｅｓｓ  ｓｔｅｅｌ）よりも強くて、順番的に繊維心軸（２０）＞チタン金属（ｔｉｔａｎｉｕｍ）＞ジルコニウム（セラミック、Ｚｉｒｃｏｎｉａ）＞ステンレススチール（ｓｔａｉｎｌｅｓｓ  ｓｔｅｅｌ）であり、かつ衝突を受けた際に切れにくくて、弾力を有するため、天然の歯牙に近くて、骨先を傷つけることがなく、比較的に弾力を有するため吸震が可能で、チタン金属植体（４０）のベースの損傷を減少する。
【００１３】
該ガラス繊維心軸（ＧＬＡＳＳＩＸ＋ｐｌｕｓ）（Ｇｌａｓｓ  Ｆｉｂｒｅ  Ｐｏｓｔ）、石英光ファイバ心軸、炭素繊維心軸、ガラス光ファイバ心軸は、単層繊維、二層繊維または多層繊維にすることが可能であり、強度を倍に増強させ、即ち、単層繊維は数ポンドの衝撃力を受けるものの、該二層繊維は数十ポンドの衝撃力を受けることが可能であり、該多層繊維は数百ポンドの衝撃力を受けることが可能である。
前記樹脂支柱本体（１０）内には複数の繊維心軸（２０）が設けられている。
前記繊維心軸（２０）は単層繊維からなることが可能である。
【００１４】
図４及び図５に示すように、該樹脂支柱本体（１０）内に複数の繊維心軸（２０）が設けられている。該石英光ファイバ心軸および該ガラス光ファイバ心軸の光ファイバ部は、第１層（２３）および第２層（２４）から構成され、該第１層（２３）はコア層、該第２層（２４）は外側層であり、該外側層はコア層の外側を被覆して固設される。前記それぞれの層は複数の繊維心軸により構成される。
前記繊維心軸（２０）の断面は円形状になることが可能である。
前記繊維心軸（２０）の断面は六角形状になることが可能である。
【００１５】
図６に示すように、該樹脂支柱本体（１０）内には複数の繊維心軸（２０）が設けられている。該繊維心軸（２０）は多層繊維からなることができる。その１つの実施例は図面に示すように、３層構造を有し、第１層（２３）、第２層（２４）および第３層（２５）を含み、該多層繊維により、単層の場合の数倍に相当する衝撃力を受けることができる。前記それぞれの層は複数の繊維心軸により構成される。
【符号の説明】
【００１６】
１０  樹脂支柱本体
１１  外周結合部
１２  頂面
２０  繊維心軸
２１  底部結合端
２２  頂部自由端
２３  第１層
２４  第２層
２５  第３層
３０  歯冠
４０  チタン金属植体
４１  歯溝の骨
５０  ねじくぎ
【図１】
0003164601.tif 000003
【図２】
0003164601.tif 000004
【図３】
0003164601.tif 000005
【図４】
0003164601.tif 000006
【図５】
0003164601.tif 000007
【図６】
0003164601.tif 000008